(57)【要約】【課題】ユーザに煩わしさを与えることなく、データに応じた方式で通信することを目的とする。【解決手段】第１の通信装置は、第２の通信装置、及び、画像処理装置と第１の通信方式での通信接続を確立し、第２の通信装置は、第１の通信装置との第１の通信方式での通信接続が確立された状態を維持しながら、第１の通信方式とは異なる第２の通信方式で画像処理装置と通信接続を確立し、画像処理装置に第２の通信方式で処理データを送信する。画像処理装置は、第１の通信装置との第１の通信方式での通信接続が確立された状態を維持しながら、第２の通信方式で第２の通信装置と通信接続を確立し、第２の通信装置から第２の通信方式で処理データを受信し、受信した処理データに基づいて、画像処理を実行する。【選択図】図６
2019022008.tif 000002
【特許請求の範囲】
【請求項１】
第１の通信装置と第２の通信装置と画像処理装置とを有する通信システムであって、
前記第１の通信装置は、前記第２の通信装置、及び、前記画像処理装置と第１の通信方式での通信接続を確立し、
前記第２の通信装置は、前記第１の通信装置との前記第１の通信方式での通信接続が確立された状態を維持しながら、前記第１の通信方式とは異なる第２の通信方式で前記画像処理装置と通信接続を確立し、前記画像処理装置に前記第２の通信方式で処理データを送信し、
前記画像処理装置は、前記第１の通信装置との前記第１の通信方式での通信接続が確立された状態を維持しながら、前記第２の通信方式で前記第２の通信装置と通信接続を確立し、前記第２の通信装置から前記第２の通信方式で前記処理データを受信し、受信した前記処理データに基づいて、画像処理を実行する通信システム。
【請求項２】
前記画像処理装置は、前記第１の通信装置に前記第１の通信方式で、前記画像処理装置の情報である装置情報を送信し、
前記第１の通信装置は、前記画像処理装置から受信した前記装置情報を前記第２の通信装置に前記第１の通信方式で送信し、
前記第２の通信装置は、前記第１の通信装置から前記第１の通信方式で前記装置情報を受信し、前記第１の通信装置との前記第１の通信方式での通信接続が確立された状態を維持しながら、前記第２の通信方式で前記画像処理装置と通信接続を確立し、受信した前記装置情報に基づく前記処理データを前記画像処理装置に前記第２の通信方式で送信する請求項１記載の通信システム。
【請求項３】
前記画像処理装置は、画像処理の状況を表す処理ステータスを前記第１の通信装置に前記第１の通信方式で送信し、
前記第１の通信装置は、前記画像処理装置から受信した前記処理ステータスを前記第２の通信装置に前記第１の通信方式で送信し、
前記第２の通信装置は、前記処理ステータスを前記第１の通信装置から前記第１の通信方式で受信する請求項１又は２記載の通信システム。
【請求項４】
前記第２の通信装置は、前記第１の通信装置から受信した前記処理ステータスに基づく情報を表示する制御を行う請求項３記載の通信システム。
【請求項５】
前記装置情報には、前記画像処理装置のメモリのサイズの情報が含まれ、
前記第２の通信装置は、前記装置情報に含まれる前記画像処理装置のメモリのサイズの情報と前記処理データのサイズとに基づいて、前記処理データを分割し、前記第１の通信装置との前記第１の通信方式での通信接続が確立された状態を維持しながら、分割されたそれぞれの前記処理データごとに、前記第２の通信方式での前記画像処理装置との通信接続の確立、前記処理データの前記画像処理装置への送信、及び、前記画像処理装置との前記第２の通信方式での通信接続の切断からなる分割データ送信処理を繰り返し、
前記画像処理装置は、前記第１の通信装置との前記第１の通信方式での通信接続が確立された状態を維持しながら、分割されたそれぞれの前記処理データごとに、前記第２の通信方式での前記第２の通信装置と通信接続の確立、前記処理データの前記第２の通信装置からの受信、及び、前記第２の通信装置との前記第２の通信方式での通信接続の切断からなる分割データ受信処理を繰り返す請求項２乃至４何れか１項記載の通信システム。
【請求項６】
前記第２の通信装置は、
前記第１の通信装置との前記第１の通信方式での通信接続が確立された状態を維持しながら、分割されたそれぞれの前記処理データごとに、前記分割データ送信処理を繰り返し、
前記画像処理装置のメモリの使用状態を示す情報に基づいて、２回目以降のそれぞれの前記分割データ送信処理を開始する請求項５記載の通信システム。
【請求項７】
前記第１の通信方式は、前記第２の通信方式より、消費電力が小さく通信速度が遅い通信方式である請求項１乃至６何れか１項記載の通信システム。
【請求項８】
前記第１の通信方式は、ＢＬＥ（Ｂｌｕｅｔｏｏｔｈ  Ｌｏｗ  Ｅｎｅｒｇｙ）であり、前記第２の通信方式は、無線ＬＡＮ方式である請求項７記載の通信システム。
【請求項９】
前記第１の通信装置は、前記第１の通信方式において、セントラルとなり、
前記第２の通信装置、及び、前記画像処理装置は、前記第１の通信方式において、ペリフェラルとなる請求項８記載の通信システム。
【請求項１０】
前記画像処理装置は、印刷装置であり、
前記画像処理装置は、受信した前記処理データに基づいて、印刷を実行する請求項１乃至９何れか１項記載の通信システム。
【請求項１１】
前記第１の通信装置は、スマートデバイスであり、
前記第２の通信装置は、撮像装置である請求項１乃至１０何れか１項記載の通信システム。
【請求項１２】
外部装置、及び、画像処理装置と通信可能な通信装置であって、
前記外部装置との第１の通信方式での通信接続が確立された状態を維持しながら、前記第１の通信方式とは異なる第２の通信方式で前記画像処理装置と通信接続を確立し、前記画像処理装置に前記第２の通信方式で処理データを送信する通信手段を有する通信装置。
【請求項１３】
前記通信装置は、撮像装置である請求項１２記載の通信装置。
【請求項１４】
第１の外部装置、及び、第２の外部装置と通信可能な画像処理装置であって、
前記第１の外部装置との第１の通信方式での通信接続が確立された状態を維持しながら、前記第１の通信方式とは異なる第２の通信方式で前記第２の外部装置と通信接続を確立し、前記第２の外部装置から前記第２の通信方式で処理データを受信する通信手段と、
前記通信手段によって受信された前記処理データに基づいて、画像処理を行う画像処理手段と、
を有する画像処理装置。
【請求項１５】
前記画像処理装置は、印刷装置であり、
前記画像処理手段は、受信した前記処理データに基づいて、印刷を実行する請求項１４記載の画像処理装置。
【請求項１６】
第１の通信装置と第２の通信装置と画像処理装置とを有する通信システムにおける情報処理方法であって、
前記第１の通信装置が、前記第２の通信装置、及び、前記画像処理装置と第１の通信方式での通信接続を確立するステップと、
前記第２の通信装置が、前記第１の通信装置との前記第１の通信方式での通信接続が確立された状態を維持しながら、前記第１の通信方式とは異なる第２の通信方式で前記画像処理装置と通信接続を確立し、前記画像処理装置に前記第２の通信方式で処理データを送信するステップと、
前記画像処理装置が、前記第１の通信装置との前記第１の通信方式での通信接続が確立された状態を維持しながら、前記第２の通信方式で前記第２の通信装置と通信接続を確立し、前記第２の通信装置から前記第２の通信方式で前記処理データを受信するステップと、
前記画像処理装置が、受信した前記処理データに基づいて、画像処理を行うステップと、
を有する情報処理方法。
【請求項１７】
コンピュータを、請求項１２又は１３記載の通信装置の各手段として機能させるためのプログラム。
【請求項１８】
コンピュータを、請求項１４又は１５記載の画像処理装置の各手段として機能させるためのプログラム。
【発明の詳細な説明】
【技術分野】
【０００１】
本発明は、通信システム、通信装置、画像処理装置、情報処理方法、及び、プログラムに関する。
【背景技術】
【０００２】
従来、用途に応じて複数の無線通信方式を切り替える通信装置がある。例えば、第１無線通信方式として無線ＬＡＮ、特にＷｉ−Ｆｉ（登録商標）を使用でき、第２無線通信方式としてＢｌｕｅｔｏｏｔｈ  Ｌｏｗ  Ｅｎｅｒｇｙ（登録商標、以下ＢＬＥと称する）を使用できる通信装置がある。第１無線通信方式を用いれば、アクセスポイントとなった通信装置が同時に複数の外部通信装置と接続を確立し、通信装置と複数の外部通信装置の間でデータ送受信を行うことが可能である。第２無線通信方式は第１無線通信方式に比べて低速だが消費電力が小さい。このため、第１無線通信方式によるデータ送受信がない期間において、第１無線通信方式の接続を切断して第２無線通信方式の接続に切り替えることで消費電力を低減できる。そして、第２無線通信方式の接続を維持しておけば、第１無線通信方式によるデータ送受信を再開するとき、第２無線通信方式によって第１無線通信方式の接続に必要な設定を送受信することで、容易に第１無線通信方式の接続に切り替えることが可能である。
このような複数の無線通信方式を切り替える通信装置として、スマートフォン、撮像装置、プリンタ等が挙げられる。
通信装置間でＢＬＥを用いて接続を行う場合、スマートフォンがセントラルとなり、撮像装置、及び、プリンタがペリフェラルとなるシステム構成が一般的である。
【０００３】
また、特許文献１には、次のＭＦＰ（多機能機）が記載されている。ＭＦＰは、ＭＦＰと第１携帯端末との間にＷｉ−Ｆｉ  Ｄｉｒｅｃｔ（登録商標、以下ＷＦＤと称する）方式に従った接続Ｃ１が確立されている状況で次の処理を行う。すなわち、ＭＦＰは、ＷＦＤ接続操作が加えられる場合に、接続Ｃ１が確立されている状態を維持しつつ、ＭＦＰと第１携帯端末との間に通常Ｗｉ−Ｆｉ方式に従った接続Ｃ２を確立する。ＭＦＰは、接続Ｃ２が確立された後に、接続Ｃ１を切断する。ＭＦＰは、更に、接続Ｃ１が切断された後に、ＭＦＰと第２携帯端末との間にＷＦＤ方式に従った接続Ｃ３を確立し、接続Ｃ３を利用して、第２携帯端末から印刷データを受信する。
【先行技術文献】
【特許文献】
【０００４】
【特許文献１】特開２０１４−７２７６３号公報
【発明の概要】
【発明が解決しようとする課題】
【０００５】
ＢＬＥの仕様では、セントラルとなる通信装置一台に対して、複数のペリフェラルとなる通信装置を同時に接続できるが、ＢＬＥでは、ペリフェラルとなる通信装置同士の接続はできない。例えば、上記のように撮像装置及びプリンタがＢＬＥのペリフェラルとなるようなシステム構成では、撮像装置からプリンタに印刷データを送信してプリンタに印刷させることができない。
また、特許文献１のＭＦＰでは、ＭＦＰが第２携帯端末から印刷データを受信した後に第１携帯端末から印刷データを受信する場合、ユーザは、ＭＦＰと第２携帯端末とを接続させるための操作を行う必要がある。
【０００６】
本発明は、ユーザに煩わしさを与えることなく、データに応じた方式及び経路で通信することを目的とする。
【課題を解決するための手段】
【０００７】
本発明の通信システムは、第１の通信装置と第２の通信装置と画像処理装置とを有する通信システムであって、前記第１の通信装置は、前記第２の通信装置、及び、前記画像処理装置と第１の通信方式での通信接続を確立し、前記第２の通信装置は、前記第１の通信装置との前記第１の通信方式での通信接続を確立した状態を維持しながら、前記第１の通信方式とは異なる第２の通信方式で前記画像処理装置と通信接続を確立し、前記画像処理装置に前記第２の通信方式で処理データを送信し、前記画像処理装置は、前記第１の通信装置との前記第１の通信方式での通信接続を確立した状態を維持しながら、前記第２の通信方式で前記第２の通信装置と通信接続を確立し、前記第２の通信装置から前記第２の通信方式で前記処理データを受信し、受信した前記処理データに基づいて、画像処理を実行する。
【発明の効果】
【０００８】
本発明によれば、ユーザに煩わしさを与えることなく、データに応じた方式及び経路で通信することができる。
【図面の簡単な説明】
【０００９】
【図１】通信システムの構成の一例を示す図である。
【図２】通信システムの通信の流れの一例を示す図である。
【図３】撮像装置の構成の一例を示す図である。
【図４】プリンタの構成の一例を示す図である。
【図５】スマートデバイスの構成の一例を示す図である。
【図６】第１の実施形態における印刷プロセスのシーケンスの一例を示す図である。
【図７】第１の実施形態における撮像装置が表示する画面の一例を示す図である。
【図８】第２の実施形態における印刷プロセスのシーケンスの一例を示す図である。
【発明を実施するための形態】
【００１０】
（第１の実施形態）
まず、図１を参照して、第１の実施形態の通信システムについて説明する。図１は、通信システムの構成の一例を示す図である。第１の実施形態の通信システムは、撮像装置１００とプリンタ２００とスマートデバイス３００とを備える。
スマートデバイス３００は、第１の通信装置の一例である。スマートデバイス３００として、例えば、スマートフォン、タブレット端末等が使われるが、これらに限定されるものではない。撮像装置１００は、第２の通信装置の一例である。プリンタ２００は、昇華プロセスを用いたフォトプリンタである。プリンタ２００は、画像処理装置の一例であり、印刷装置の一例である。また、撮像装置１００から見て、スマートデバイス３００は、外部装置の一例である。プリンタ２００から見て、スマートデバイス３００は第１の外部装置の一例である。また、プリンタ２００から見て、撮像装置１００は第２の外部装置の一例である。撮像装置１００は、プリンタ２００、及び、スマートデバイス３００と通信可能である。プリンタ２００は、撮像装置１００、及び、スマートデバイス３００と通信可能である。
【００１１】
撮像装置１００とスマートデバイス３００とは、ＢＬＥ（Ｂｌｕｅｔｏｏｔｈ  Ｌｏｗ  Ｅｎｅｒｇｙ）により通信接続されている。また、プリンタ２００とスマートデバイス３００とはＢＬＥにより通信接続されている。撮像装置１００、及び、プリンタ２００は、ＢＬＥにおけるペリフェラル装置である。また、スマートデバイス３００は、ＢＬＥにおけるセントラル装置である。図１において、撮像装置１００とスマートデバイス３００との通信接続が接続１５０と表されており、プリンタ２００とスマートデバイス３００の通信接続が接続２５０と表されている。ＢＬＥは、第１の通信方式の一例である。また、ＢＬＥは、第２の通信方式の一例であるＷｉ−Ｆｉより、消費電力が小さく通信速度が遅い通信方式の一例である。
【００１２】
次に、図２を参照して、第１の実施形態の通信システムの通信の流れについて説明する。図２は、通信システムの通信の流れの一例を示す図である。第１の実施形態の通信システムでは、図２に示すように、撮像装置１００とスマートデバイス３００とは、接続１５０により、定期的に通信を行っている。また、プリンタ２００とスマートデバイス３００とは、接続１５０により、定期的に通信を行っている。
【００１３】
次に、図３を参照して、撮像装置１００の構成について説明する。図３は、撮像装置１００の構成の一例を示す図である。
撮像装置１００は、内部バス１１３に対して各部が接続されており、各部は内部バス１１３を介して互いにデータの送受信が可能である。
制御部１０１は、撮像装置１００の各部を制御する。制御部１０１が不揮発性メモリ１０３に記録されたプログラムをメモリ１０２に展開して実行することで、図６の撮像装置１００の処理が実現される。
メモリ１０２は、例えばＲＡＭ（半導体素子を利用した揮発性メモリ等）からなる。
不揮発性メモリ１０３は、電気的に消去・記録可能なメモリであり、例えばＥＥＰＲＯＭ等で構成される。不揮発性メモリ１０３には、画像データや音声データ、その他のデータ、制御部１０１が実行するための各種プログラム等が格納される。
【００１４】
画像処理部１０４は、制御部１０１の制御に基づいて、不揮発性メモリ１０３や記憶媒体１１０に格納された画像データや、撮像部１０５から出力される画像データ等に対して各種画像処理を施す。画像処理部１０４が行う画像処理には、Ａ／Ｄ変換処理、Ｄ／Ａ変換処理、画像データの符号化処理、圧縮処理、デコード処理、拡大／縮小処理（リサイズ）、ノイズ低減処理、色変換処理等が含まれる。また、画像処理の種別によっては画像処理部１０４を用いずに、制御部１０１がプログラムを実行することで画像処理を施すことも可能である。
撮像部１０５は、ズームレンズ・フォーカスレンズを含むレンズ群、絞り機能を備えるシャッター、光学像を電気信号に変換するＣＣＤやＣＭＯＳ素子等で構成される撮像素子、Ａ／Ｄ変換器等で構成される。撮像素子から出力されるアナログ信号はＡ／Ｄ変換器によってデジタル信号に変換され、デジタル信号に変換された画像データは画像処理部１０４を介してメモリ１０２に直接書き込まれる。
【００１５】
表示部１０６は、制御部１０１の制御に基づいて、画像やＧＵＩ（Ｇｒａｐｈｉｃａｌ  Ｕｓｅｒ  Ｉｎｔｅｒｆａｃｅ）を構成するＧＵＩ画面等を表示する。制御部１０１は、プログラムを実行することで表示制御信号を生成し、表示部１０６に表示するための映像信号を生成して表示部１０６に出力するように撮像装置１００の各部を制御する。表示部１０６は出力された映像信号に基づいて映像を表示する。
操作部１０７は、ユーザ操作を受け付けるための入力デバイスである。操作部１０７は、タッチパネル等のポインティングデバイス、ボタン、ダイヤル、タッチセンサ等を含む。制御部１０１は、ユーザ操作によって生成される操作部１０７の出力信号を受け付ける。
電源部１０８は、電池検出回路、ＤＣ−ＤＣコンバータ、通電するブロックを切り替えるスイッチ回路等により構成され、電池の装着の有無、電池の種類、電池残量の検出を行う。制御部１０１は、その検出結果に基づいて電源部１０８を制御して、必要な電圧を必要な期間、各部へ供給する。電源部１０８は、アルカリ電池やリチウム電池等の一次電池やＮｉＣｄ電池やＮｉＭＨ電池、Ｌｉ電池等の二次電池、ＡＣアダプター等も含む。
【００１６】
記憶媒体Ｉ／Ｆ１０９は、メモリカード等の記憶媒体１１０を装着可能であり、制御部１０１の制御に基づき、装着された記憶媒体１１０からのデータの読み出しや、記憶媒体１１０に対するデータの書き込みを行う。
ＢＬＥ通信部１１１は、制御部１０１の制御に基づいて、ＢＬＥを用いて外部機器との通信を行う。
Ｗｉ−Ｆｉ通信部１１２は、制御部１０１の制御に基づいて、Ｗｉ−Ｆｉを用いて外部機器との通信を行う。
なお、撮像装置１００の構成は上記の構成には限定されない。例えば撮像装置１００の各制御を１つのハードウェアが担うことで複数の手段として機能してもよいし、逆に複数のハードウェアが協働することで１つの手段として機能してもよい。これは後述するプリンタ２００、スマートデバイス３００についても同様である。
【００１７】
次に、図４を参照して、プリンタ２００の構成について説明する。図４は、プリンタ２００の構成の一例を示す図である。
印画処理部２０４は、制御部２０１の制御に基づいて、昇華プロセスを用いて印画を行う。
メカ駆動部２０５は、制御部２０１の制御に基づいて、モータを駆動し、記録紙を給送する。
プリンタ２００は、制御部２０１、メモリ２０２、不揮発性メモリ２０３、表示部２０６、操作部２０７、電源部２０８、記憶媒体Ｉ／Ｆ２０９、及び、記憶媒体２１０を備える。これらは、それぞれ、撮像装置１００の制御部１０１、メモリ１０２、不揮発性メモリ１０３、表示部１０６、操作部１０７、電源部１０８、記憶媒体Ｉ／Ｆ１０９、及び、記憶媒体１１０と同様の機能である。
また、プリンタ２００は、ＢＬＥ通信部２１１、Ｗｉ−Ｆｉ通信部２１２、及び、内部バス２１３を備える。これらは、それぞれ、撮像装置１００のＢＬＥ通信部１１１、Ｗｉ−Ｆｉ通信部１１２、及び、内部バス１１３と同様の機能である。
また、制御部２０１が不揮発性メモリ２０３に記録されたプログラムをメモリ２０２に展開して実行することで、図６のプリンタ２００の処理が実現される。
【００１８】
次に、図５を参照して、スマートデバイス３００の構成について説明する。図５は、スマートデバイス３００の構成の一例を示す図である。
公衆無線通信部３１４は、公衆回線を利用して、他の通信装置と通信を行うために具備されたものである。
スマートデバイス３００は、制御部３０１、メモリ３０２、不揮発性メモリ３０３、表示部３０６、操作部３０７、電源部３０８、記憶媒体Ｉ／Ｆ３０９、及び、記憶媒体３１０を備える。これらは、それぞれ、撮像装置１００の制御部１０１、メモリ１０２、不揮発性メモリ１０３、表示部１０６、操作部１０７、電源部１０８、記憶媒体Ｉ／Ｆ１０９、及び、記憶媒体１１０と同様の機能である。
スマートデバイス３００は、ＢＬＥ通信部３１１、Ｗｉ−Ｆｉ通信部３１２、及び、内部バス３１３を備える。これらは、それぞれ、撮像装置１００のＢＬＥ通信部１１１、Ｗｉ−Ｆｉ通信部１１２、及び、内部バス１１３と同様の機能である。
また、制御部３０１が不揮発性メモリ３０３に記録されたプログラムをメモリ３０２に展開して実行することで、図６のスマートデバイス３００の処理が実現される。
【００１９】
次に、図６、図７を参照して、第１の実施形態の印刷プロセスについて説明する。図６は、印刷プロセスのシーケンスの一例を示す図である。図７は、撮像装置１００が表示する画面の一例を示す図である。図６は、情報処理システムが実行する情報処理方法の一例である。
図６の処理に先立って、スマートデバイス３００の制御部３０１は、ＢＬＥ通信部３１１を制御して、撮像装置１００、及び、プリンタ２００と、スマートデバイス３００をセントラル装置とするＢＬＥでの通信接続を確立する。このとき、撮像装置１００の制御部１０１は、ＢＬＥ通信部１１１を制御して、スマートデバイス３００と、撮像装置１００をペリフェラル装置とするＢＬＥでの通信接続を確立する。また、プリンタ２００の制御部２０１は、ＢＬＥ通信部２１１を制御して、スマートデバイス３００と、プリンタ２００をペリフェラル装置とするＢＬＥでの通信接続を確立する。すなわち、図６の処理に先立って、図１に示すように、ＢＬＥ通信が確立している。そして、図６の処理において、撮像装置１００とスマートデバイス３００とのＢＬＥでの通信接続が確立された状態が維持される。また、図６の処理において、プリンタ２００とスマートデバイス３００とのＢＬＥでの通信接続が確立された状態が維持される。
また、図６の処理に先立って、撮像装置１００の制御部１０１は、表示部１０６を制御して、図７（ａ）に示す画面を表示する制御を行う。
図６において、Ｓ１０１〜Ｓ１１０は撮像装置１００が実行する処理であり、Ｓ２０１〜Ｓ２１１はプリンタ２００が実行する処理であり、Ｓ３０１〜Ｓ３１２はスマートデバイス３００が実行する処理である。
【００２０】
Ｓ１０１において、撮像装置１００の制御部１０１は、ユーザが撮像装置１００の操作部１０７に対して行った印刷操作を操作部１０７から受け付ける。
Ｓ１０２において、撮像装置１００の制御部１０１は、撮像装置１００にＷｉ−Ｆｉで通信接続できるプリンタについての情報であるプリンタ情報の送信要求を、ＢＬＥ通信部１１１を用いて、スマートデバイス３００にＢＬＥで送信する。Ｗｉ−Ｆｉは、第２の通信方式の一例である。また、Ｗｉ−Ｆｉは、無線ＬＡＮ方式の一例である。
Ｓ３０１において、スマートデバイス３００の制御部３０１は、プリンタ情報の送信要求を、ＢＬＥ通信部３１１を用いて、撮像装置１００からＢＬＥで受信する。
Ｓ３０２において、スマートデバイス３００の制御部３０１は、プリンタ情報の送信要求を、ＢＬＥ通信部３１１を用いて、プリンタ２００にＢＬＥで送信する。
【００２１】
Ｓ２０１において、プリンタ２００の制御部２０１は、プリンタ情報の送信要求を、ＢＬＥ通信部２１１を用いて、スマートデバイス３００からＢＬＥで受信する。
Ｓ２０２において、プリンタ２００の制御部２０１は、プリンタ情報を、ＢＬＥ通信部２１１を用いて、スマートデバイス３００にＢＬＥで送信する。Ｓ２０２で送信されるプリンタ情報には、装着紙サイズ、及び、装着インク（白黒／カラー）等の情報が含まれる。プリンタ情報は、プリンタ２００の情報である装置情報の一例である。
Ｓ３０３において、スマートデバイス３００の制御部３０１は、プリンタ情報を、ＢＬＥ通信部３１１を用いて、プリンタ２００からＢＬＥで受信する。
Ｓ３０４において、スマートデバイス３００の制御部３０１は、プリンタ情報を、ＢＬＥ通信部３１１を用いて、撮像装置１００にＢＬＥで送信する。
【００２２】
Ｓ１０３において、撮像装置１００の制御部１０１は、プリンタ情報を、ＢＬＥ通信部１１１を用いて、スマートデバイス３００からＢＬＥで受信する。
Ｓ１０４において、撮像装置１００の制御部１０１は、撮像装置１００の認証情報を、ＢＬＥ通信部１１１を用いて、スマートデバイス３００にＢＬＥで送信する。撮像装置１００の認証情報は、画像データを送信するためにＷｉ−Ｆｉで通信接続するための情報である。撮像装置１００の認証情報は、例えばＵＵＩＤ、及び、機器名を含む。
Ｓ３０５において、スマートデバイス３００の制御部３０１は、撮像装置１００の認証情報を、ＢＬＥ通信部３１１を用いて、撮像装置１００からＢＬＥで受信する。
Ｓ３０６において、スマートデバイス３００の制御部３０１は、撮像装置１００の認証情報を、ＢＬＥ通信部３１１を用いて、プリンタ２００にＢＬＥで送信する。
【００２３】
Ｓ２０３において、プリンタ２００の制御部２０１は、撮像装置１００の認証情報を、ＢＬＥ通信部２１１を用いて、スマートデバイス３００からＢＬＥで受信する。そして、制御部２０１は、受信した撮像装置１００の認証情報を、メモリ２０２又は不揮発性メモリ２０３等に記憶させる。
Ｓ２０４において、プリンタ２００の制御部２０１は、プリンタ２００の認証情報を、ＢＬＥ通信部２１１を用いて、スマートデバイス３００にＢＬＥで送信する。Ｓ２０４で送信されるプリンタ２００の認証情報は、画像データを受信するためにＷｉ−Ｆｉで通信接続するための情報である。プリンタ２００の認証情報は、例えばＳＳＩＤ、及び、パスワードを含む。
Ｓ３０７において、スマートデバイス３００の制御部３０１は、プリンタ２００の認証情報を、ＢＬＥ通信部３１１を用いて、プリンタ２００からＢＬＥで受信する。
Ｓ３０８において、スマートデバイス３００の制御部３０１は、プリンタ２００の認証情報を、ＢＬＥ通信部３１１を用いて、撮像装置１００にＢＬＥで送信する。
【００２４】
Ｓ１０５において、撮像装置１００の制御部１０１は、プリンタ２００の認証情報を、ＢＬＥ通信部１１１を用いて、スマートデバイス３００からＢＬＥで受信する。そして、制御部１０１は、受信したプリンタ２００の認証情報を、メモリ１０２又は不揮発性メモリ１０３等に記憶させる。
Ｓ１０６において、撮像装置１００の制御部１０１は、プリンタ２００に印刷動作を開始させるための印刷コマンドを、ＢＬＥ通信部１１１を用いて、スマートデバイス３００にＢＬＥで送信する。
Ｓ３０９において、スマートデバイス３００の制御部３０１は、印刷コマンドを、ＢＬＥ通信部３１１を用いて、撮像装置１００からＢＬＥで受信する。
Ｓ３１０において、スマートデバイス３００の制御部３０１は、印刷コマンドを、ＢＬＥ通信部３１１を用いて、プリンタ２００にＢＬＥで送信する。
【００２５】
Ｓ２０５において、プリンタ２００の制御部２０１は、印刷コマンドを、ＢＬＥ通信部２１１を用いて、スマートデバイス３００からＢＬＥで受信する。
Ｓ２０６において、プリンタ２００の制御部２０１は、メカ駆動部２０５を駆動して印刷動作を開始する制御を行う。
Ｓ１０７において、撮像装置１００の制御部１０１は、プリンタ２００との間で、認証情報の送受信を行う。Ｓ１０７の認証情報の送受信には、例えばＷｉ−Ｆｉ通信部１１２が使われる。そして、撮像装置１００の制御部１０１は、プリンタ２００とＷｉ−Ｆｉでの通信接続を確立する。
Ｓ２０７において、プリンタ２００の制御部２０１は、撮像装置１００との間で、認証情報の送受信を行う。Ｓ２０７の認証情報の送受信には、例えばＷｉ−Ｆｉ通信部２１２が使われる。そして、プリンタ２００の制御部２０１は、撮像装置１００とＷｉ−Ｆｉでの通信接続を確立する。
【００２６】
Ｓ１０８において、撮像装置１００の制御部１０１は、プリンタ２００に印刷させる画像データを、Ｗｉ−Ｆｉ通信部１１２を用いて、プリンタ２００にＷｉ−Ｆｉで送信する。Ｓ１０７、Ｓ１０８の処理は、撮像装置１００が、スマートデバイス３００とのＢＬＥでの通信接続が確立された状態を維持しながら、Ｗｉ−Ｆｉでプリンタ２００と通信接続を確立し、プリンタ２００にＷｉ−Ｆｉで画像データを送信する処理の一例である。画像データは、処理データの一例である。
Ｓ２０８において、プリンタ２００の制御部２０１は、画像データを、Ｗｉ−Ｆｉ通信部２１２を用いて、撮像装置１００からＷｉ−Ｆｉで受信する。そして、制御部２０１は、メカ駆動部２０５を駆動して、受信した画像データに基づいて、印刷を実行する。Ｓ２０７、Ｓ２０８の処理は、プリンタ２００が、スマートデバイス３００とのＢＬＥでの通信接続が確立された状態を維持しながら、Ｗｉ−Ｆｉで撮像装置１００と通信接続を確立し、撮像装置１００からＷｉ−Ｆｉで画像データを受信する処理の一例である。また、Ｓ２０８は、プリンタ２００が、受信した画像データに基づいて、印刷を実行する処理の一例である。印刷は画像処理の一例である。
Ｓ１０９において、撮像装置１００の制御部１０１は、Ｗｉ−Ｆｉ通信部１１２を用いて、プリンタ２００とのＷｉ−Ｆｉ接続を切断する。
Ｓ２０９において、プリンタ２００の制御部２０１は、Ｗｉ−Ｆｉ通信部２１２を用いて、撮像装置１００とのＷｉ−Ｆｉ接続を切断する。
【００２７】
プリンタ２００の制御部２０１は、Ｓ２０８の処理以降、メカ駆動部２０５を駆動して、受信した画像データに基づいて、印刷を継続する。そして、Ｓ２１０において、プリンタ２００の制御部２０１は、印刷ステータスを、ＢＬＥ通信部２１１を用いて、スマートデバイス３００にＢＬＥで送信する。印刷ステータスは、例えば、印刷中であり印刷が２５％完了したこと、印刷が完了したこと等の印刷の進行状況を表す情報を含む。印刷ステータスは、画像処理の状況を表す処理ステータスの一例である。
Ｓ３１１において、スマートデバイス３００の制御部３０１は、印刷ステータスを、ＢＬＥ通信部３１１を用いて、プリンタ２００からＢＬＥで受信する。
Ｓ３１２において、スマートデバイス３００の制御部３０１は、印刷ステータスを、ＢＬＥ通信部３１１を用いて、撮像装置１００にＢＬＥで送信する。
【００２８】
Ｓ１１０において、撮像装置１００の制御部１０１は、印刷ステータスを、ＢＬＥ通信部１１１を用いて、スマートデバイス３００からＢＬＥで受信する。そして、制御部１０１は、表示部１０６を制御して、受信した印刷ステータスに基づいて、図７（ｂ）や図７（ｃ）に示すように、印刷状況を表す情報を表示する制御を行う。
図６の例では、Ｓ２１０、Ｓ３１１、Ｓ３１２、及び、Ｓ１１０からなる印刷ステータス送受信処理が１回行われる例が示されている。しかし、印刷ステータス送受信処理は、プリンタ２００での印刷が完了するまで、印刷の進行状況に応じて複数回実行される。印刷ステータス送受信処理は、予め設定された間隔で実行されてもよい。
Ｓ１１０において、撮像装置１００の制御部１０１が印刷状況を表す情報を表示する制御を行う処理は、撮像装置１００が、スマートデバイス３００から受信した印刷ステータスに基づく情報を表示する制御を行う処理の一例である。
Ｓ２１１において、プリンタ２００の制御部２０１は、印刷が完了すると印刷動作を終了させる。
【００２９】
Ｓ１０４、Ｓ１０５、Ｓ３０５からＳ３０８まで、Ｓ２０３、及び、Ｓ２０４からなる認証情報送受信処理は、初回の印刷の実行時にのみ、実行される。初回の印刷の実行時に、上記の通り、撮像装置１００の制御部１０１は、受信したプリンタ２００の認証情報を、メモリ１０２又は不揮発性メモリ１０３等に記憶させる。また、プリンタ２００の制御部２０１は、受信した撮像装置１００の認証情報を、メモリ２０２又は不揮発性メモリ２０３等に記憶させる。２回目以降の印刷の実行時には、撮像装置１００の制御部１０１、及び、プリンタ２００の制御部２０１は、記憶した認証情報を使う。したがって、２回目以降の印刷の実行時には、認証情報送受信処理は実行されない。
【００３０】
以上説明したように、撮像装置１００は、スマートデバイス３００とのＢＬＥでの通信接続が確立された状態を維持しながら、Ｗｉ−Ｆｉでプリンタ２００と通信接続を確立し、プリンタ２００にＷｉ−Ｆｉで画像データを送信する。また、プリンタ２００は、スマートデバイス３００とのＢＬＥでの通信接続が確立された状態を維持しながら、Ｗｉ−Ｆｉで撮像装置１００と通信接続を確立し、撮像装置１００からＷｉ−Ｆｉで画像データを受信する。また、プリンタ２００は、受信した画像データに基づいて、印刷を実行する。
したがって、ユーザに煩わしさを与えることなく、データに応じた方式及び経路で通信することができる。より具体的には、ＢＬＥ接続を確立したまま、ユーザに煩わしさを与えることなく、撮像装置１００からＷｉ−Ｆｉで画像データをプリンタ２００に送信して、プリンタ２００に印刷を実行させることができる。
【００３１】
また、第１の実施形態では、撮像装置１００とスマートデバイス３００との通信接続、及び、プリンタ２００とスマートデバイス３００との通信接続は、ＢＬＥで確立した状態が維持されている。また、ＢＬＥは、Ｗｉ−Ｆｉと比べて消費電力が小さい。したがって、第１の実施形態では、撮像装置１００とプリンタ２００とをＷｉ−Ｆｉでの通信接続が確立した状態を維持した場合と比べて、消費電力を抑えることができ、撮像装置１００、及び、プリンタ２００の稼働時間を長くできる。
【００３２】
また、通常、画像データは、プリンタ情報、印刷コマンド、及び、印刷ステータスよりサイズが大きい。第１の実施形態では、このような画像データを送受信するときのみＢＬＥよりも高速なＷｉ−Ｆｉを使い、その他のデータの送受信にはＢＬＥを使う。したがって、送受信するデータに応じた適切な方式で通信することができ、消費電力を抑え、かつ、データの送受信時間を抑制できる。
また、撮像装置１００は、受信した印刷ステータスに基づいて、図７（ｂ）や図７（ｃ）に示すように、表示部１０６に印刷状況を表す情報を表示する。したがって、ユーザは、撮像装置１００で印刷の進行状況を確認できる。
【００３３】
（第２の実施形態）
次に、第２の実施形態の通信システムについて説明する。第１の実施形態の通信システムと同様の点については、同符号を付して説明を省略する。
第１の実施形態では、プリンタ２００は充分な容量の受信メモリを具備し、撮像装置１００から送信された画像データを記憶できる状態で説明した。第２の実施形態では、図８を参照して、プリンタ２００が充分な容量の受信メモリを具備せず、印刷動作に合わせてＷｉ−Ｆｉ通信を行う動作について説明する。図８は、第２の実施形態における印刷プロセスのシーケンスの一例を示す図である。
図３のメモリ１０２の一部がプリンタ２００の受信メモリに割り当てられている。プリンタ２００の受信メモリは、受信した印刷用の画像データの格納に使用される。プリンタ２００の制御部２０１は、画像データを印刷用のビットデータに変換すると受信メモリをクリアする。
図８の例では、図６の認証情報送受信処理（Ｓ１０４、Ｓ１０５、Ｓ３０５からＳ３０８まで、Ｓ２０３、及び、Ｓ２０４）は既に実行済みであるものとする。また、図６と同様に、図８の処理において、撮像装置１００とスマートデバイス３００とのＢＬＥでの通信接続が確立された状態が維持される。また、図８の処理において、プリンタ２００とスマートデバイス３００とのＢＬＥでの通信接続が確立された状態が維持される。
【００３４】
Ｓ２０２において、プリンタ２００の制御部２０１は、プリンタ情報を、ＢＬＥ通信部２１１を用いて、スマートデバイス３００にＢＬＥで送信する。図８のＳ２０２で送信されるプリンタ情報には、装着紙サイズ、及び、装着インク（白黒／カラー）等の情報に加えて、プリンタ２００の受信メモリのサイズの情報が含まれる。
Ｓ３０３において、スマートデバイス３００の制御部３０１は、プリンタ情報を、ＢＬＥ通信部３１１を用いて、プリンタ２００からＢＬＥで受信する。
Ｓ３０４において、スマートデバイス３００の制御部３０１は、プリンタ情報を、ＢＬＥ通信部３１１を用いて、撮像装置１００にＢＬＥで送信する。
Ｓ１０３において、撮像装置１００の制御部１０１は、プリンタ情報を、ＢＬＥ通信部１１１を用いて、スマートデバイス３００からＢＬＥで受信する。
【００３５】
撮像装置１００の制御部１０１は、受信したプリンタ情報に含まれるプリンタ２００の受信メモリのサイズの情報と、プリンタ２００に印刷させる画像データのサイズとに基づいて、画像データの分割が必要か否かを判定する。制御部１０１は、例えば、画像データのサイズがプリンタ２００の受信メモリのサイズより大きいとき、画像データの分割が必要と判定する。
制御部１０１は、画像データの分割が必要と判定したとき、プリンタ情報に含まれるプリンタ２００の受信メモリのサイズの情報とプリンタ２００に印刷させる画像データのサイズとに基づいて、画像データの分割数を決定する。画像データの分割数をＮ（Ｎは２以上の自然数）とすると、制御部１０１は、画像データをＮ分割したときのそれぞれの画像データのサイズがプリンタ２００の受信メモリのサイズ以下になるように、画像データの分割数Ｎを決定する。
そして、Ｓ１２０において、撮像装置１００の制御部１０１は、画像データをＮ分割する。
図８の例では、制御部１０１は、画像データの分割が必要と判定し、画像データの分割数を２に決定したものとする。そして、Ｓ１２０において、撮像装置１００の制御部１０１は、画像データを２分割する。２分割された画像データのそれぞれを、第１の画像データ、第２の画像データと呼ぶ。Ｓ１２０の処理は、プリンタ情報に含まれるプリンタ２００の受信メモリのサイズの情報と画像データのサイズとに基づいて、画像データを分割する処理の一例である。
【００３６】
図８のＳ１０６、Ｓ３０９、Ｓ３１０、Ｓ２０５、Ｓ２０６、Ｓ１０７、Ｓ２０７は、図６の同符号の処理と同様である。
Ｓ１０８において、撮像装置１００の制御部１０１は、第１の画像データを、Ｗｉ−Ｆｉ通信部１１２を用いて、プリンタ２００にＷｉ−Ｆｉで送信する。Ｓ１０８の処理は、撮像装置１００が、スマートデバイス３００とのＢＬＥでの通信接続が確立された状態を維持しながら、受信したプリンタ情報に基づく画像データをプリンタ２００にＷｉ−Ｆｉで送信する処理の一例である。
Ｓ２０８において、プリンタ２００の制御部２０１は、第１の画像データを、Ｗｉ−Ｆｉ通信部２１２を用いて、撮像装置１００からＷｉ−Ｆｉで受信する。制御部２０１は、受信した第１の画像データを受信メモリに記憶させる。そして、制御部２０１は、メカ駆動部２０５を駆動して、受信した第１の画像データに基づいて、印刷を実行する。既に説明したように、制御部２０１は、印刷の実行中等に、印刷用のビットデータに変換するとプリンタ２００の受信メモリをクリアする。
その後、Ｓ１０９、Ｓ２０９において、撮像装置１００、及び、プリンタ２００は、Ｗｉ−Ｆｉ接続を一旦切断する。
【００３７】
次いで、第１の実施形態と同様に、Ｓ２１０、Ｓ３１１、Ｓ３１２、及び、Ｓ１１０からなる印刷ステータス送受信処理が行われる。第２の実施形態では、印刷ステータスは、プリンタ２００の受信メモリが空になったか否かの情報を含む。プリンタ２００の受信メモリが空になったか否かの情報は、プリンタ２００のメモリの使用状態を示す情報の一例である。第１の実施形態と同様に、印刷ステータス送受信処理は、印刷の進行状況に応じて繰り返し実行される。
Ｓ１１１において、撮像装置１００の制御部１０１は、Ｓ１１０で受信した印刷ステータスに基づいて、プリンタ２００の受信メモリが空になったか否かを判定する。制御部１０１は、プリンタ２００の受信メモリが空になったと判定したとき処理をＳ１１２に進め、プリンタ２００の受信メモリが空になっていないと判定したとき処理をＳ１１０に戻す。
【００３８】
Ｓ１１２において、撮像装置１００の制御部１０１は、Ｓ１０７と同様の処理を行う。より具体的には、制御部１０１は、プリンタ２００との間で、認証情報の送受信を行い、プリンタ２００とＷｉ−Ｆｉでの通信接続を確立する。
Ｓ２１３において、プリンタ２００の制御部２０１は、Ｓ２０７と同様の処理を行う。より具体的には、制御部２０１は、撮像装置１００との間で、認証情報の送受信を行い、撮像装置１００とＷｉ−Ｆｉでの通信接続を確立する。
Ｓ１１３において、撮像装置１００の制御部１０１は、第２の画像データを、Ｗｉ−Ｆｉ通信部１１２を用いて、プリンタ２００にＷｉ−Ｆｉで送信する。図８のＳ１０８、Ｓ１１３の処理は、撮像装置１００が、スマートデバイス３００とのＢＬＥでの通信接続が確立された状態を維持しながら、分割されたそれぞれの画像データをプリンタ２００にＷｉ−Ｆｉで送信する処理の一例である。
Ｓ２１４において、プリンタ２００の制御部２０１は、第２の画像データを、Ｗｉ−Ｆｉ通信部２１２を用いて、撮像装置１００からＷｉ−Ｆｉで受信する。制御部２０１は、受信した第２の画像データを受信メモリに記憶させる。そして、制御部２０１は、メカ駆動部２０５を駆動して、受信した第２の画像データに基づいて、印刷を実行する。
【００３９】
Ｓ１１４において、撮像装置１００の制御部１０１は、Ｓ１０９と同様に、Ｗｉ−Ｆｉ通信部１１２を用いて、プリンタ２００とのＷｉ−Ｆｉ接続を切断する。
Ｓ１０７、Ｓ１０８、Ｓ１０９、Ｓ１１２、Ｓ１１３、Ｓ１１４の処理は、第１の繰り返し処理の一例である。第１の繰り返し処理は、撮像装置１００が、スマートデバイス３００とのＢＬＥでの通信接続が確立された状態を維持しながら、分割されたそれぞれの画像データごとに、分割データ送信処理を実行する処理である。分割データ送信処理は、撮像装置１００が、Ｗｉ−Ｆｉでのプリンタ２００との通信接続の確立、分割された画像データのプリンタ２００への送信、及び、プリンタ２００とのＷｉ−Ｆｉでの通信接続の切断を実行する処理である。Ｓ１１１で処理をＳ１１２に進める処理は、プリンタ２００のメモリの使用状態を示す情報に基づいて、２回目以降のそれぞれの分割データ送信処理を開始する処理の一例である。
【００４０】
Ｓ２１５において、プリンタ２００の制御部２０１は、Ｓ２０９と同様に、Ｗｉ−Ｆｉ通信部２１２を用いて、撮像装置１００とのＷｉ−Ｆｉ接続を切断する。
Ｓ２０７、Ｓ２０８、Ｓ２０９、Ｓ２１３、Ｓ２１４、Ｓ２１５の処理は、第２の繰り返し処理の一例である。第２の繰り返し処理は、プリンタ２００が、スマートデバイス３００とのＢＬＥでの通信接続が確立された状態を維持しながら、分割されたそれぞれの画像データごとに、分割データ受信処理を実行する処理である。分割データ受信処理は、プリンタ２００が、Ｗｉ−Ｆｉでの撮像装置１００との通信接続の確立、分割された画像データの撮像装置１００からの受信、及び、撮像装置１００とのＷｉ−Ｆｉでの通信接続の切断を実行する処理である。
【００４１】
Ｓ２１６、Ｓ３１５、Ｓ３１６、Ｓ１１５は、それぞれ、Ｓ２１０、Ｓ３１１、Ｓ３１２、Ｓ１１０と同様の処理であり、プリンタ２００から、スマートデバイス３００を介して、撮像装置１００に印刷ステータスが送信される。
Ｓ１１０やＳ１１５において、撮像装置１００の制御部１０１は、第１の実施形態と同様に、表示部１０６を制御して、受信した印刷ステータスに基づいて、図７（ｂ）や図７（ｃ）に示すように、印刷状況を表す情報を表示する制御を行う。
Ｓ２１７において、プリンタ２００の制御部２０１は、印刷が完了すると印刷動作を終了させる。
【００４２】
以上説明したように、撮像装置１００は、画像データのサイズとプリンタ２００の受信メモリのサイズの情報とに基づいて、画像データを分割する。そして、プリンタ２００の印刷の進行状況に応じて、プリンタ２００が分割された画像データを受信できる期間のみ、Ｗｉ−Ｆｉで撮像装置１００からプリンタ２００に画像データが送信される。したがって、Ｗｉ−Ｆｉでの通信接続が確立されている時間を抑えることができるため、消費電力を抑制できる。特に、プリンタ２００はフォトプリンタであり印刷時間が長いため、消費電力の抑制の効果が顕著である。また、第１の実施形態と同様に、ユーザに煩わしさを与えることなく、データに応じた方式及び経路で通信することができる。
【００４３】
第２の実施形態では、図８を参照して、撮像装置１００の制御部１０１が画像データを２分割する例について説明した。しかし、既に説明したように、制御部１０１は、画像データをＮ分割してもよい。画像データをＮ分割したとき、制御部１０１は、分割されたそれぞれの画像データごとに、プリンタ２００とのＷｉ−Ｆｉ接続の確立、Ｗｉ−Ｆｉでのプリンタ２００への分割後の画像データの送信、及び、プリンタ２００とのＷｉ−Ｆｉ接続の切断を行う。このとき、プリンタ２００の制御部２０１は、分割されたそれぞれの画像データごとに、撮像装置１００とのＷｉ−Ｆｉ接続の確立、Ｗｉ−Ｆｉでの撮像装置１００からの分割後の画像データの受信、及び、撮像装置１００とのＷｉ−Ｆｉ接続の切断を行う。
【００４４】
上記の各実施形態において、撮像装置１００の制御部１０１は、スマートデバイス３００から受信したプリンタ情報に基づいて画像データに対して処理を行ってもよい。そして、制御部１０１は、処理後の画像データを、図６のＳ１０８や図８のＳ１０８、Ｓ１１３でプリンタ２００に送信してもよい。プリンタ情報に基づいた画像データに対する処理の例として、画像データのリサイズや画像データのフォーマットの変換が挙げられる。ここで説明した処理は、撮像装置１００が、スマートデバイス３００とのＢＬＥでの通信接続が確立された状態を維持しながら、受信したプリンタ情報に基づく画像データをプリンタ２００にＷｉ−Ｆｉで送信する処理の一例である。
【００４５】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００４６】
以上、本発明を実施形態と共に説明したが、上記実施形態は本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００４７】
１００  撮像装置、１０１  制御部、２００  プリンタ、２０１  制御部、３００  スマートデバイス、３０１  制御部
【図１】
2019022008.tif 000003
【図２】
2019022008.tif 000004
【図３】
2019022008.tif 000005
【図４】
2019022008.tif 000006
【図５】
2019022008.tif 000007
【図６】
2019022008.tif 000008
【図７】
2019022008.tif 000009
【図８】
2019022008.tif 000010